(57)【要約】  固定工具（１２）用のアダプター（１０）であって、アダプター（１０）を固定工具に結合するアタッチメント部（１８）と、取付けブラケット（２６）をアダプター（１０）に結合する支持部（１４、１６）とを備え、アダプターが、取付けブラケット（２６）を基材に関して保持するように、また、取付けブラケットを基材（５２）に固定するために工具から出てくる固定具が取付けブラケットを通ってねじ込まれることを可能にするように構成される、固定工具用のアダプター。固定具による物品の基材への取り付けを容易にするために、物品を保持するホルダーであって、ホルダーが、固定工具から出てくる固定具を受け入れる位置に、物品を磁石で保持するホルダー。取付けブラケットを基材に固定する方法であって、固定工具（１２）に関して取付けブラケットを保持するように構成されたアダプター（１０）に取付けブラケット（２６）を結合する工程と、取付けブラケットを基材（５２）に関する位置に支持する工程と、取付けブラケットを基材に固定するために、取付けブラケットの取付け部を通して固定具をねじ込むように工具を操作する工程とを備える方法。
2007533283.tif 000002
【特許請求の範囲】
【請求項１】
固定工具用のアダプターであって、
前記アダプターを前記固定工具に結合するアタッチメント部と、
取付けブラケットを前記アダプターに結合する支持部とを備え、
前記アダプターが、取付けブラケットを基材に関して保持するように、また、前記取付けブラケットを前記基材に固定するために工具から出てくる固定具が取付けブラケットを通ってねじ込まれることを可能にするように構成される、
固定工具用のアダプター。
【請求項２】
前記アタッチメント部が、前記工具のノーズピースに嵌め合わされる、請求項１に記載のアダプター。
【請求項３】
前記アタッチメント部が、前記工具のノーズピースを受け入れる穴を有する、請求項２に記載のアダプター。
【請求項４】
前記アダプターが、前記工具のノーズピースに前記アダプターを取り外し可能にロックする止め金を備える、請求項２又は３に記載のアダプター。
【請求項５】
前記止め金が、前記ノーズピースの外表面に形成された環状溝と係合するように、選択的に操作することができる、請求項４に記載のアダプター。
【請求項６】
前記アダプターが、前記取付けブラケットの穴を前記工具のノーズピース穴と心合わせするように構成される、請求項１から５のいずれか１項に記載のアダプター。
【請求項７】
前記アダプターが、複数の前記支持部を有する、請求項１から６のいずれか１項に記載のアダプター。
【請求項８】
前記支持部が、異なった取付けブラケットに使用するのに適するように、異なって形成される、請求項７に記載のアダプター。
【請求項９】
前記支持部が、異なったサイズの取付けブラケットに使用するのに適するように、異なったサイズである、請求項８に記載のアダプター。
【請求項１０】
請求項４に従属する場合に、請求項７から９のいずれか１項に記載のアダプターであって、
前記アダプターが、
アタッチメント部と止め金を有する本体と、
前記本体の互いに反対の側から外向きに延びる２つの前記支持部とを備え、
前記支持部の各々が、異なった曲率半径を有する湾曲したアームの形状であって、前記アームの１つと、これと関連する異なった形状の取付けブラケットとの間で、接触することができるようにする、
アダプター。
【請求項１１】
各支持部が、前記取付けブラケットが前記アダプターによって担持されるように、取付けブラケットと磁石吸引するマグネット部材を有する、請求項１０に記載のアダプター。
【請求項１２】
前記取付けブラケットが、配線を収納する導管を基材に固定するものである、請求項１から１１のいずれか１項に記載のアダプター。
【請求項１３】
前記アダプターが、使用者が前記アダプター及び取付けブラケットを前記基材に関して正しく心合わせをするのを補助するために、固定具の中心と略心合わせされた、少なくとも１つの指標を備える、請求項１から１２のいずれか１項に記載のアダプター。
【請求項１４】
固定具による物品の基材への取り付けを容易にするために、前記物品を保持するホルダーであって、
前記ホルダーが、固定工具から出てくる固定具を受け入れる位置に、前記物品を磁石で保持する、ホルダー。
【請求項１５】
前記ホルダーが、前記工具のノーズピースに取り付けられるようにされている、請求項１４に記載のホルダー。
【請求項１６】
前記ホルダーが、前記ノーズピースと係合する構造を備える、請求項１５に記載のホルダー。
【請求項１７】
前記構造が、前記ノーズピースを受け入れる穴を有する、請求項１６に記載のホルダー。
【請求項１８】
前記ホルダーが、前記ホルダーを前記ノーズピースに取り外し可能なようにロックする止め金を備える、請求項１５から１７のいずれか１項に記載のホルダー。
【請求項１９】
前記止め金が、前記ノーズピースの外表面に形成された環状溝と係合するように選択的に操作することができる、請求項１８に記載のホルダー。
【請求項２０】
取付けブラケットを基材に固定する方法であって、
固定工具に関して前記取付けブラケットを保持するように構成されたアダプターに前記取付けブラケットを結合する工程と、
前記取付けブラケットを前記基材に関する位置に支持する工程と、
前記取付けブラケットを前記基材に固定するために、前記取付けブラケットの取付け部を通して固定具をねじ込むように前記工具を操作する工程とを備える、方法。
【請求項２１】
前記取付けブラケットが、前記アダプターに、磁石で結合された、請求項２０に記載の方法。
【請求項２２】
前記取付けブラケットを前記基材に関する位置に支持する工程の前に、前記固定工具に前記アダプターを結合させる工程を備える、請求項２０又は請求項２１に記載の方法。
【請求項２３】
前記取付けブラケットが２つの取付け部を有し、１つは保持部のどちらか一方の側にあり、前記取付けブラケットを基材に固定するために前記取付けブラケットの取付け部を通して固定具をねじ込むために工具を操作する工程の後に、更にこの方法が、
前記取付けブラケットのもう一方の取付け部を通して第２の固定具をねじ込むために工具を心合わせするように、前記取付けブラケットに関してアダプターを略１８０度回転させる工程と、
前記取付けブラケットを基材に更に固定するために、もう一方の取付け部を通して第２の固定具をねじ込むように工具を操作する工程とを備える、
請求項２０から２２のいずれか１項に記載の方法。
【発明の詳細な説明】
【技術分野】
【０００１】
本発明は、工具用のアダプターに関し、限定的ではないが、特に、ブラケット又は他の基材用部材の取付けを容易にするための、固定工具用アダプターに関する。
【背景技術】
【０００２】
場所間に配線を敷設するための、プラスチック製チューブ又は配管の形式の導管内に、電気配線を収納することは、以前から行われてきた。例えば、電気幹線を導く電気配線は、このようにして、電源及び／又は固定された電気接続器具の間を、建物の外壁に沿って敷設することができる。この配線は、配線を保護し絶縁するために、普通は、ＰＶＣ配管又は他の形式の導管の中に被覆されている。導管は、普通は、基材に間隔をあけて固定された取付けブラケットによって、基材に取付けられる。この目的に使用されるブラケットは、普通、保持部と、保持部と一体に設けられた取付け部とを有する。保持部は、使用中保持部が導管の周りに延びるように形成され、取付けブラケットと基材との間で導管を所定の位置に保持する。取付け部には、固定具が挿入できる穴が備えられ、取付けブラケットを基材に固定する。固定具は、例えば、くぎ、ボルト、又はねじの形式とすることができる。固定具がねじの形式の場合、ねじを壁内に保持することを補助するためにアンカー（例えばプラスチック製アンカー）を使用することができ、特に軸方向荷重がねじに加わった場合に壊れ易い材料（例えば、れんが、コンクリート、又はしっくい）の壁の場合に使用することができる。
【０００３】
一般的に、上述のタイプの取付けブラケットは、導管と取付けブラケットを固定準備位置に配置するために、導管の上を、導管の外表面の周りに延びる取付けブラケットの保持部で、手で支えることにより据え付けられる。固定具が次に、取付けブラケットの穴を通って、取付けブラケットの後ろの基材の中に挿入され、取付けブラケットを基材に固定する。このやり方で取付けブラケットを固定するために、ガス駆動又は電力駆動のような動力固定工具を使用することは、取付けブラケットを通して固定具をねじ込んでいる間、取付けブラケットが手で取付け位置に支えられているので、取付けブラケットを取付け位置に支えるために使用している手を貫いて、誤って固定具をねじ込む危険性があるので危険である。例えば、ねじ回しを使用して、取付けブラケットの穴を通して基材の壁に手でねじをねじ込むことにより、手で固定具を取付けブラケットの穴に挿入する方が安全であるが、そのような手での挿入は速度が遅い。更に、このやり方で取付けブラケットを固定することは、１人が取付けブラケットと導管を取付け位置に保持し、２人目の人間が固定具を挿入するので、普通、２人の人間を必要とし、処理時間の浪費と労働の集中を生じる。
【発明の開示】
【発明が解決しようとする課題】
【０００４】
本発明の実施例は、導管に収納された配線を基材に固定する従来の方法の、１以上の不具合を克服し、又は少なくとも軽減しようとするものである。
【課題を解決するための手段】
【０００５】
本発明の他の実施例により、アダプターを固定工具に結合するアタッチメント部を有する、固定工具用のアダプターと、取付けブラケットをアダプターに結合する支持部とが提供され、取付けブラケットを基材に関して保持するように、また、取付けブラケットを基材に固定するために工具から出てくる固定具が取付けブラケットを通ってねじ込まれることを可能にするように、構成される。
【０００６】
アタッチメント部は、工具のノーズピースに嵌め合うことが好ましい。アタッチメント部は、工具のノーズピースを受け入れる穴を有すると、更に好ましい。アダプターは、工具のノーズピースにアダプターを取り外し可能にロックする止め金を備えることが、更に好ましい。止め金は、ノーズピースの外表面に形成された環状溝と係合するように、選択的に操作できることが好ましい。
【０００７】
アダプターは、取付けブラケットの穴を工具のノーズピース穴と心合わせするように構成されることが好ましい。
【０００８】
アダプターは、複数の支持部を有することが好ましい。支持部は、異なった取付けブラケットに使用するのに適するように、異なって形成されることが更に好ましい。アダプターは、異なったサイズの取付けブラケットに使用するのに適した、複数の異なったサイズの支持部を有することが、更に好ましい。
【０００９】
アダプターは、アタッチメント部と止め金を有する本体と、本体の互いに反対の側から外向きに延びる１対の支持部とを有し、各支持部が、異なった曲率半径を有する湾曲したアームの形状であって、アームの１つと、これと関連する異なった形状の取付けブラケットとの間で、接触することができるようにすることが好ましい。
【００１０】
各支持部は、取付けブラケットがアダプターによって担持されるように、取付けブラケットと磁石吸引するマグネット部材を有することが好ましい。
【００１１】
取付けブラケットは、配線を収納する導管を基材に固定するものであることが好ましい。
【００１２】
本発明の１実施例により、工具に結合するアタッチメント部を有する工具用のアダプターと、工具が作用部品に関して作動するように構成された作用部品を保持する、マグネットホルダーが提供される。
【００１３】
アダプターは、工具に関する作用部品の位置決めを補助するように構成されることが好ましい。
【００１４】
アタッチメント部は、工具のノーズピースと係合する構造を備えることが好ましい。この構造は、工具のノーズピースを受け入れる穴を有することが好ましい。アダプターは、アダプターを工具のノーズピースに取り外し可能なようにロックする止め金を備えることが、より好ましい。止め金は、ノーズピースの外表面に形成された環状溝と係合するように選択的に操作できることが好ましい。
【００１５】
本発明の他の実施例により、取付けブラケットを基材に固定する方法が提供され、この方法は、
固定工具に関して取付けブラケットを保持するように構成されたアダプターに取付けブラケットを結合する工程と、
取付けブラケットを基材に関する位置に支持する工程と、
取付けブラケットを基材に固定するために、取付けブラケットの取付け部を通して固定具をねじ込むように工具を操作する工程とを備える。
【００１６】
この方法は、取付けブラケットを基材に関する位置に支持する工程の前に、固定工具にアダプターを結合させる工程を備えることが好ましい。
【００１７】
この方法は、固定された取付けブラケットからアダプターを取り外す工程を備えることが好ましい。
【００１８】
取付けブラケットが２つの取付け部を有し、１つは保持部のどちらか一方の側にあり、取付けブラケットを基材に固定するために取付けブラケットの取付け部を通して固定具をねじ込むために工具を操作する工程の後に、更にこの方法が、
取付けブラケットのもう一方の取付け部を通して第２の固定具をねじ込むために工具を心合わせするように、取付けブラケットに関してアダプターを略１８０度回転させる工程と、
取付けブラケットを基材に更に固定するために、もう一方の取付け部を通して第２の固定具をねじ込むように工具を操作する工程とを備えることが好ましい。
【００１９】
本発明は、添付図面を参照して、限定のない例示のみによって、以下に説明される。
【発明を実施するための最良の形態】
【００２０】
工具１２に結合するアタッチメント部１８を有する、工具１２用のアダプター１０を図１に示す。アタッチメント部１８は、工具１２のノーズピース２４を受け入れる穴２０を有する構造を備える。図８に示すように、図面に示されたアダプター１０の特定の実施例では、穴２０が固定工具１２のノーズピースを受け入れるようにされている。図８に示すように、ノーズピース２４が穴２０の中に受け入れられた場合には、固定具がノーズピース２４を通してねじ込まれるときに、固定具が穴２０を通過する。
【００２１】
アダプター１０は、選択的に操作できる止め金２２を有するアダプター１０の効果によって、固定工具１２のノーズピース２４の上にぴったりと係合することができる。止め金２２は、ノーズピース２４の溝と協働して、ノーズピース２４の上にアダプター１０をぴったりと正確に位置決めする。
【００２２】
図示の実施例では、アダプター１０は、作用部品、特に取付けブラケット２６を担持するようにされており、固定工具１２はブラケット２６に関して作動するように構成されている。
【００２３】
図示のアダプター１０はまた、アタッチメント部１８の一方の側に第１の支持部１４と、アタッチメント部１８の反対側に、第２の、より大きな支持部１６を備える。このように構成され、アダプター１０は、工具１２に関する取付けブラケット２６の位置決めを補助することができる。支持部１４、１６の各々は、取付けブラケット２６がアダプター１０によって担持されるように、取付けブラケット２６を引付けるマグネット部材２８を備える。取付けブラケット２６をアダプター１０にそのように引付けることは、取付けブラケット２６をアダプターにぴったり保持するように作用し、アダプター１０の操作によって、又は、アダプター１０が結合される固定工具１２の操作によって、取付けブラケット２６が担持され、ぴったりと位置決めされるようにすることができる。
【００２４】
更に、アダプター１０は、アタッチメント部１８及び止め金２２を有する本体３２と、本体３２の互いに反対側から外向きに延びる一対の支持部１４，１６を備える。支持部１４、１６の各々は、湾曲したアーム３４、３６の形態をしており、２つのアームの各々は、異なる曲率半径を有し、アーム３４、３６と、異なった取付けブラケット２６の湾曲した保持部３８との間で接触することを可能とする。図示のアダプター１０では、第１の支持部１４は、第１の支持部１４が２０ｍｍの直径の鞍型の取付けブラケット２６ａ（図２参照）の湾曲した保持部３８と接触できるように、適切な曲率半径を有し、第２の支持部１６は、第２の支持部１６と２５ｍｍの直径の鞍型の取付けブラケット２６ｂ（図２及び図３参照）の湾曲した保持部３８との間で接触できるようにする曲率半径を有する。同様に、１つのアダプター１０で、２つの同じサイズの取付けブラケット２６に使用できるアダプターも提供される。
【００２５】
図２は、図１のアダプター１０の第１の側の側面の斜視図を示し、第２の支持部１６が第１の支持部１４より大きな曲率半径を有するように、明確に示している。この図は、マグネット部材２８を収納する、支持部１４、１６の上面の突出し部４０も示している。この図では、止め金２２は、本体３２からの釦４２の突出しにより明らかなように、係合した状態にある。釦４２は、止め金２２を動かして外した状態にするために内側に押され、この状態は反対側の釦４４（図６参照）の、本体３２からの突出しによりはっきりわかる。止め金２２の、係合状態又は取外し状態での確実な係合は、ばね部４６（図１、６、及び７参照）と、ばね部４６を受け入れ、それぞれ係合状態と取外し状態に対応する、本体３２の対応する２つの刻み目４８、５０の効果により達成される。
【００２６】
図２にはまた、様々な取付けブラケット２６、２６ａ、２６ｂが、木片５２の基材に取付け具５４で固定されて示されている。取付けブラケット２６、２６ａ、２６ｂは、すべて「半鞍型」又は「全鞍型」で、半鞍型では、取付けブラケットは、保持部３８の一方の側にのみ一体に成形された略平面の取付け部５６を有する湾曲した保持部３８を備え、全鞍型（図４参照）は、保持部３８の両側に略平面の取付け部５８を有する湾曲した保持部３８を備える。
【００２７】
実施例に示された取付けブラケット２６、２６ａ、２６ｂの湾曲した保持部３８は、１以上の配線を収納する導管を基材に保持するためのものである。特に、１以上の配線が導管内に収納され、取付けブラケット２６の湾曲した保持部３８が、導管の外表面の形状に対応するように形成され、取付けブラケット２６が基材に固定される場合に、湾曲した保持部３８が、導管を基材に保持するために、導管の外表面周りに少なくとも部分的に延びる。ある特定の形状では、導管は、円筒形のＰＶＣ配管の形状であり、取付けブラケット２６の湾曲した保持部３８は、ＰＶＣ配管の外表面に接触するために、対応するように湾曲している。次に、アダプター１０が半鞍型の取付けブラケットに結合された場合を描いた図３に示すように、第２の支持部１６の輪郭は、湾曲した保持部３８の輪郭にぴったりと一致する。
【００２８】
図示したこの型の取付けブラケットは、取付け部５６、５８にあらかじめ形成された穴を普通有するが、あらかじめ形成された穴を有さず、代わりに、固定具が取付けブラケットを通して基材にねじ込まれるようにして、固定具によって穴が取付け部に形成されるようにすることもまた可能である。図５の上面図から分かるように、２５ｍｍの取付けブラケット２６ｂがアダプター１０に結合される場合に、第２の支持部１６と穴２０の関連配置の効果により、穴２０は、あらかじめ形成された穴であるか固定具５４によって穴がその位置に形成されるかにかかわらず、固定具が取付けブラケットを通って基材にねじ込まれる取付け部上の位置と心合わせされる。図５の場合には、固定具５４は、既に取付けブラケット２６ｂを通って木片５２にねじ込まれている。同様に、２０ｍｍの取付けブラケット２６ａがアダプター１０に結合される場合には、第１の支持部１４と穴２０の関連配置の効果により、穴２０は、固定具が取付けブラケット２６ａを通ってねじ込まれる取付け部上の位置と、心合わせされる。
【００２９】
取付けブラケット２６は、図８に示すように、アダプター１０を固定工具１２に結合させることにより、基材５２に固定される。図示のアダプター１０は固定工具１２に取外し可能なように結合されるが、別のアダプターが固定工具のノーズピースの上に一体に形成され得ることも考えられる。図８に示した配置に戻ると、アダプター１０は、止め金２２が係合されていない状態で、アダプター１０の穴２０を通してノーズピース２４を挿入することにより、また、止め金２２をノーズピース２４の外周周りに形成された環状溝と係合させるように釦４４によって止め金２２を操作することにより、工具１２のノーズピース２４に嵌め合わされる。取付けブラケット２６は、次に、取付けブラケット２６の湾曲部３８でアダプター１０に結合され、支持部１４、１６のうち適切な一方と、及び、アダプター１０の本体３２の下の取付けブラケット２６の取付け部５６、５８と、接触する。必要ならば、次に、基材に固定される導管周りに延びる取付けブラケット２６の保持部３８で、取付けブラケット２６が基材５２に関する位置で支持されて、工具１２が起動され、取付けブラケット２６を基材５２に固定するために、工具１２が操作され、固定具を取付けブラケット２６の取付け部５６、５８を通してねじ込む。
【００３０】
図６と図７は、それぞれ止め金が外れた状態と、係合した状態の、アダプター１０の底面図を示す。
【００３１】
取付けブラケット２６が、湾曲した保持部３８の両端に取付け部５８を有する全鞍型の形態であって、取付けブラケット２６の１つの取付け部５８を通して第１の固定具をねじ込むように、工具を操作した後で、アダプター１０は次に、取付けブラケット２６に関して略１８０度回転され、第２の固定具を全鞍型取付けブラケット２６のもう一方の取付け部５８を通して第２の固定具をねじ込むために、工具１２の心合わせをする。工具１２は、次に、取付けブラケット２６を基材５２に更に固定するように、もう一方の取付け部５８を通して第２の固定具をねじ込むために操作される。
【００３２】
上述のようにアダプターを使用することにより、取付けブラケット２６は、固定する間、取付けブラケットを手で基材に関する位置に保持することなく、基材に導管を保持するために、基材に効率的に固定されることができ、従って、固定具が誤って使用者の手にねじ込まれることにより負傷する危険性を、除去し又は少なくとも低減する。
【００３３】
図９から１４は、図１から８に示すアダプター１０と一般的な構成及び操作が同様である、別のアダプター１０ａを示す。従って、図１から８のアダプター１０の特徴部と類似する図９から１４のアダプター１０ａの特徴部は、同様の参照符号で表される。
【００３４】
図９から１４のアダプター１０ａを、図１から８のアダプター１０と比較した場合の、１つの相違点は、本体３２が、両側に、横に突き出した脚６０を有することであり、脚６０は、取付けブラケットを基材５２に固定する前及び固定する間、アダプター１０ａを取付けブラケット２６に対して安定して当接させる補助をする。横に突き出した脚はまた、刻み目６２の形態の指標を備え、この指標は、穴２０の中心と心合わせされ、使用者がアダプター１０ａ及び取付けブラケット２６を基材５２に関して正しく心合わせをするのを補助し、基材５２の上の取付けブラケットの正しい固定位置を確保する。
【００３５】
脚６０はまた、穴２０の中心の、関連する参照位置６６に関する寸法を与える、寸法合わせの指標６４でマーキングされている。図示された例では、参照位置６６は、取付けブラケットの鞍の中心であり、寸法合わせの指標６４は、本体３２の両側に、「２１」及び「３１」とラベル付けされており、それぞれの鞍の中心に対する穴２０の中心の距離をミリメートルで表した数字に一致する。
【００３６】
図９から１４のアダプター１０ａの更なる相違点は、マグネット部材２８を収納する、支持部１４、１６の上面の突出し部４０が、各支持部１４、１６の大きさの取付けブラケット２６の直径に対応する寸法６８でマーキングされていることである。従って、図１２に示すように、１つの支持部１４は、２０ｍｍ直径の鞍型取付けブラケットに使用する大きさであり、もう一方の支持部１６は、２５ｍｍ直径の鞍型取付けブラケットに使用する大きさである。他のアダプターは、他のサイズの取付けブラケットに使用する大きさとすることができる。特に、出願人は、１６ｍｍ直径の鞍型取付けブラケットに使用する第１の支持部サイズと、３２ｍｍ直径の鞍型取付けブラケットに使用する第２の支持部サイズを有する別のアダプターを予定している。
【００３７】
上述のアダプターは、例としてのみ記述され、本発明の範囲内で修正が可能である。特に、アダプターは、他の種類のアダプターとすることができ、取付けブラケットを支持するアダプターに限定されないことが理解されなければならない。
【図面の簡単な説明】
【００３８】
【図１】固定工具用アダプターの底面の斜視図である。
【図２】図１に示したアダプターの第１の側の斜視図で、一片の木材に固定された様々な取付けブラケットと共に示した図である。
【図３】図１と図２に示したアダプターの第２の側の側面図で、アダプターが半鞍型の取付けブラケットに結合された状態を示した図である。
【図４】図１から図３に示したアダプターの端部の斜視図で、アダプターが全鞍型の取付けブラケットに結合された状態を示した図である。
【図５】図１から図４に示したアダプターの上面図で、アダプターが半鞍型の取付けブラケットに結合された状態を示した図である。
【図６】図１から図５に示したアダプターの底面図で、アダプターの止め金が係合から外れた状態を示した図である。
【図７】図１から図６に示したアダプターの底面図で、アダプターの止め金が係合した状態を示した図である。
【図８】図１から図７に示したアダプターの斜視図で、アダプターが固定工具に結合された状態を示した図である。
【図９】固定工具用の別のアダプターの底面の斜視図である。
【図１０】図９に示したアダプターの側面図である。
【図１１】図９と図１０に示したアダプターの底面図である。
【図１２】図９から図１１に示したアダプターの上面図である。
【図１３】図９から図１２に示したアダプターの側面の斜視図である。
【図１４】図９から図１３に示したアダプターの上面及び端面の斜視図である。
【図１】
2007533283.tif 000003
【図２】
2007533283.tif 000004
【図３】
2007533283.tif 000005
【図４】
2007533283.tif 000006
【図５】
2007533283.tif 000007
【図６】
2007533283.tif 000008
【図７】
2007533283.tif 000009
【図８】
2007533283.tif 000010
【図９】
2007533283.tif 000011
【図１０】
2007533283.tif 000012
【図１１】
2007533283.tif 000013
【図１２】
2007533283.tif 000014
【図１３】
2007533283.tif 000015
【図１４】
2007533283.tif 000016
【国際調査報告】
2007533283.tif 000017
2007533283.tif 000018